(57)【要約】【課題】操作部を所望の操作位置に位置させるための目印を容易に付けることができ、しかも目印の位置の変更が容易に行える調光器を提供することにある。【解決手段】調光器１は、操作位置が連続的に変化する操作部１２が前面側に設けられるとともに操作部１２の操作位置に応じて光源の調光制御を行う調光制御回路部が内部に収納された器体１０と、器体１０の前面に設けられた収納凹所１１ｄに収納された磁石からなる取付部４０と、器体１０の前面側の全面を覆う形で器体１０に取り付けられ取付部４０と前後方向で重なる位置に配置部５０が形成された化粧カバー２０と、取付部４０に吸着される磁性材料により形成され化粧カバー２０の配置部５０に取り付けられて操作部１２の操作位置の目印として用いられる表示片３０とを備える。【選択図】図１
2008159480.tif 000002
【特許請求の範囲】
【請求項１】
操作位置が連続的に変化する操作部と、当該操作部を所望の操作位置に位置させる際の目印となる表示手段とが前面側に設けられた器体を備え、表示手段は、操作部の操作位置の目印として用いられる表示片と、表示片が配置される配置部と、配置部に表示片を着脱自在に取り付ける取付部とで構成されていることを特徴とする設定器。
【請求項２】
表示片と取付部のいずれか一方は磁石により形成されてなり、他方は前記一方に吸着される磁性材料により形成されてなることを特徴とする請求項１記載の設定器。
【請求項３】
取付部は磁石により形成されてなり、表示片は取付部に吸着される磁性材料により形成されてなることを特徴とする請求項２記載の設定器。
【請求項４】
器体の前面側の全面を覆う形で器体に取り付けられた化粧カバーを備え、化粧カバーには操作部を前方に臨ませる開口部が設けられるとともに開口部の周部に配置部が設けられ、取付部は器体の前面側に設けられ、化粧カバーの後面において取付部と対応する部位には、取付部に吸着される磁性部材が設けられていることを特徴とする請求項３記載の設定器。
【請求項５】
器体の前面側の全面を覆う形で器体に取り付けられた化粧カバーを備え、化粧カバーには操作部を前方に臨ませる開口部が設けられるとともに、開口部の周部に配置部が設けられ、取付部は化粧カバーの後面に設けられていることを特徴とする請求項３記載の設定器。
【請求項６】
器体の前面側の全面を覆う形で器体に取り付けられた化粧カバーを備え、化粧カバーには操作部を前方に臨ませる開口部が設けられるとともに、開口部の周部に配置部が設けられ、化粧カバーと器体の前面との間に、表示片を収納する収納部が設けられていることを特徴とする請求項１〜５のうちいずれか１項記載の設定器。
【請求項７】
少なくとも表示片が取り付けられた配置部を覆う形に形成されるとともに操作部を前方に臨ませる孔部を有し器体の前面側に取り付けられた透明な保護カバーを備えていることを特徴とする請求項１〜６のうちいずれか１項記載の設定器。
【請求項８】
操作部は、器体の前後方向を軸方向として器体の前面側に回動自在に設けられたものであって、配置部は、表示片を操作部の回動中心を中心とする所定半径の円弧に沿って移動させるガイド部を備え、配置部に配置された表示片におけるガイド部に沿った移動方向側の両側面それぞれは、当該移動方向を法線方向とする平面形状に形成されてなることを特徴とする請求項１〜７のうちいずれか１項記載の設定器。
【請求項９】
請求項１〜８のうちいずれか１項記載の設定器と、設定器の器体内に収納され操作部の操作位置に応じて光源の調光制御を行う調光回路部とを備えていることを特徴とする調光器。
【発明の詳細な説明】
【技術分野】
【０００１】
本発明は、設定器および光源の調光制御を行うための調光器に関するものである。
【背景技術】
【０００２】
従来から、種々の機器の操作、制御などを行うための設定器が提供されている。このような設定器としては、例えば、屋内に設置された照明器具の光源を調光するための調光器（調光スイッチ）がある（例えば、特許文献１参照）。
【０００３】
特許文献１のような調光器は、例えば、屋内の壁などの造営材に埋め込み設置されるものであって、操作位置が連続的に変化し操作位置に応じて抵抗値が変化する可変抵抗器の抵抗値に応じて光源の調光制御を行う調光制御回路部と、調光制御回路部が収納される器体と、可変抵抗器を操作するために器体の前面側に設けられる操作つまみからなる操作部とを備えている。つまり、前記調光器では、操作部を操作してその操作位置を変更することによって、光源の調光制御が行えるようになっている。
【特許文献１】特開平９−１７２２８号公報（段落番号〔００１１〕、および図３参照）
【発明の開示】
【発明が解決しようとする課題】
【０００４】
ところで、前記調光器に用いられている操作部は、可変抵抗器を操作するためのものであるので、上述したように操作位置が段階的ではなく連続的に変化するから、操作部を所望の操作位置に位置させた後に操作位置を変更してしまうと、元の操作位置（前記所望の操作位置）に戻すことが難しいという問題があった。
【０００５】
そこで、例えば、店舗などでは、営業時間帯に応じて照明器具の光源の明るさを変えることが多いので、マーキングペン（例えば、フェルトペン）やシールなどを用いて、調光器の器体に操作部の操作位置を示す目印を付けることが従来から行われている。
【０００６】
しかしながら、上述したようにマーキングペンやシールなどを用いて目印を付けた場合には、例えば、目印を付ける位置を誤ったときや、目印の位置を新しく設定し直したいときには、先に付けた目印を除去する作業を行う必要があり、目印の変更作業が非常に煩雑になるという問題があった。また、マーキングペンによる目印が完全に除去できなかったり、シールの剥がし跡が残ったりするおそれがあり、外観が悪くなるという問題があった。
【０００７】
本発明は上述の点に鑑みて為されたもので、その目的は、操作部を所望の操作位置に位置させるための目印を容易に付けることができ、しかも目印の位置の変更が容易に行える設定器および調光器を提供することにある。
【課題を解決するための手段】
【０００８】
上述の課題を解決するために、請求項１の発明では、操作位置が連続的に変化する操作部と、当該操作部を所望の操作位置に位置させる際の目印となる表示手段とが前面側に設けられた器体を備え、表示手段は、操作部の操作位置の目印として用いられる表示片と、表示片が配置される配置部と、配置部に表示片を着脱自在に取り付ける取付部とで構成されていることを特徴とする。
【０００９】
請求項１の発明によれば、表示片を配置部に取り付けることによって操作部の操作位置の目印を付けることができるから、操作部を所望の操作位置に位置させるための目印を容易に付けることができる。しかも、表示片は取付部によって配置部に着脱自在に取り付けることができるので、表示片の配置部への取付位置の変更を容易に行えるから、マーキングペンやシールなどを用いて目印を付ける場合とは異なり、目印の位置の変更が容易に行える。
【００１０】
請求項２の発明では、請求項１の発明において、表示片と取付部のいずれか一方は磁石により形成されてなり、他方は前記一方に吸着される磁性材料により形成されてなることを特徴とする。
【００１１】
請求項２の発明によれば、磁力により表示片が配置部に着脱自在に取り付けられるから、表示片の配置部への着脱が容易に行えるようになる。また、取付部として配置部に形成した溝を用い、当該溝に沿ってスライド移動自在となるように表示片を配置部に取り付けるような場合に比べて、表示片の取り付け順を気にする必要がなくなり、しかも表示片の数を容易に増減することができる。
【００１２】
請求項３の発明では、請求項２の発明において、取付部は磁石により形成されてなり、表示片は取付部に吸着される磁性材料により形成されてなることを特徴とする。
【００１３】
請求項３の発明によれば、表示片が他の表示片に吸着されてしまうことを防止できる。
【００１４】
請求項４の発明では、請求項３の発明において、器体の前面側の全面を覆う形で器体に取り付けられた化粧カバーを備え、化粧カバーには操作部を前方に臨ませる開口部が設けられるとともに開口部の周部に配置部が設けられ、取付部は器体の前面側に設けられ、化粧カバーの後面において取付部と対応する部位には、取付部に吸着される磁性部材が設けられていることを特徴とする。
【００１５】
請求項４の発明によれば、化粧カバーを器体に取り付けるにあたって、器体に設けられた取付部に化粧カバーに設けられた磁性部材が引き付けられるから、化粧カバーの器体への取り付け作業が容易に行えるようになり、また、化粧カバーの磁性部材が器体の取付部に吸着されるから、化粧カバーと器体との取付強度（固定強度）を向上できる。
【００１６】
請求項５の発明では、請求項３の発明において、器体の前面側の全面を覆う形で器体に取り付けられた化粧カバーを備え、化粧カバーには操作部を前方に臨ませる開口部が設けられるとともに、開口部の周部に配置部が設けられ、取付部は化粧カバーの後面に設けられていることを特徴とする。
【００１７】
請求項５の発明によれば、化粧カバーの後面に取付部が設けられているので、取付部を器体側に設けた場合とは異なり、化粧カバーを器体から取り外した状態でも、表示片が配置部から脱落してしまうことがなく、化粧カバーを器体から取り外した際に、表示片の配置を再び行う必要がなくなる。
【００１８】
請求項６の発明では、請求項１〜５のうちいずれか１項の発明において、器体の前面側の全面を覆う形で器体に取り付けられた化粧カバーを備え、化粧カバーには操作部を前方に臨ませる開口部が設けられるとともに、開口部の周部に配置部が設けられ、化粧カバーと器体の前面との間に、表示片を収納する収納部が設けられていることを特徴とする。
【００１９】
請求項６の発明によれば、使用しない表示片を収納部に収納することで表示片の紛失を防止することが可能となり、また表示片を追加したい際には収納部から表示片を取り出せばよいから、即時対応が可能となり、使い勝手を向上できる。
【００２０】
請求項７の発明では、請求項１〜６のうちいずれか１項の発明において、少なくとも表示片が取り付けられた配置部を覆う形に形成されるとともに操作部を前方に臨ませる孔部を有し器体の前面側に取り付けられた透明な保護カバーを備えていることを特徴とする。
【００２１】
請求項７の発明によれば、表示片が保護カバーにより保護されているので、不意に表示片に触れてしまうことなどがなくなるから、表示片の予期せぬ位置ずれを防止でき、その上、保護カバーが透明であるから、保護カバーを取り付けた状態でも表示片の位置を確認することができる。また、取付部が磁石により形成されてなる場合には、保護カバーの厚みの分だけ調光器の前面と保持具との間の距離を長くできるから、取付部の磁力によりピンなどが調光器の前面に付着してしまうことを防止できる。
【００２２】
請求項８の発明では、請求項１〜７のうちいずれか１項の発明において、操作部は、器体の前後方向を軸方向として器体の前面側に回動自在に設けられたものであって、配置部は、表示片を操作部の回動中心を中心とする所定半径の円弧に沿って移動させるガイド部を備え、配置部に配置された表示片におけるガイド部に沿った移動方向側の両側面それぞれは、当該移動方向を法線方向とする平面形状に形成されてなることを特徴とする。
【００２３】
請求項８の発明によれば、表示片におけるガイド部に沿った移動方向側の両側面それぞれが、当該移動方向を法線方向とする平面形状に形成されているので、表示片の側面同士を密接させた状態で表示片を配置部に取り付けることができるから、一の表示片をガイド部に沿って移動させることで、複数の表示片をまとめてガイド部に沿って移動させることができるようになる。また、複数の表示片をまとめて配置部に取り付けた状態での調光器の出荷が行える。
【００２４】
請求項９の発明では、請求項１〜８のうちいずれか１項記載の設定器と、設定器の器体内に収納され操作部の操作位置に応じて光源の調光制御を行う調光回路部とを備えていることを特徴とする。
【００２５】
請求項９の発明によれば、操作部を所望の操作位置に位置させるための目印を容易に付けることができるという効果を奏し、しかも、目印の位置の変更が容易に行える調光器が得られる。
【発明の効果】
【００２６】
本発明は、操作部を所望の操作位置に位置させるための目印を容易に付けることができるという効果を奏し、しかも、目印の位置の変更が容易に行えるという効果を奏する。
【発明を実施するための最良の形態】
【００２７】
以下に、本発明の技術的思想を、設定器の一種である調光器に適用した例について説明する。なお、設定器は、調光器に限られるものではなく、タイマなどであってもよく、操作位置が連続的に変化する操作部を有するようなものであればよい。
【００２８】
（実施形態１）
本実施形態の調光器１は、例えば、壁などの造営材に埋め込み設置される埋め込み式の配線器具であって、図１に示すように、操作位置が連続的に変化する操作部１２が前面側に設けられるとともに操作部１２の操作位置に応じて光源の調光制御を行う調光制御回路部（図示せず）が内部に収納された器体１０と、器体１０の前面側の全面を覆う形で器体１０に取り付けられた化粧カバー２０と、操作部１２の操作位置の目印として用いられる表示片３０と、化粧カバー２０に表示片３０を着脱自在に取り付ける取付部４０とを備えている。
【００２９】
ところで、本実施形態の調光器１は、図１に示すような取付枠１００を用いて造営材に埋め込み設置される。ここで、取付枠１００は、配線器具取り付け用の取付窓１１０を有する長方形の枠状に形成され、取付窓１１０に配線器具の前端部を挿入する形で保持され配線器具の後端部を造営材に設けられた埋込孔に埋め込む形で造営材の表面側に取り付けられるものである。また造営材に取り付けられた取付枠１００の前面側には、図２に示すように、取付枠１００の前面側の全面を覆う形で化粧プレート２００が取り付けられる。なお、このような取付枠１００および化粧プレート２００は従来周知のものであるから、詳細な説明は省略する。
【００３０】
器体１０は、絶縁性を有する樹脂により形成された樹脂成形品であって、前面が開口した箱状のボディ（図示せず）と、ボディの前面開口を閉塞するようにしてボディに被着されるカバー１１とで構成されている。なお、器体１０のサイズは、取付枠１００の取付窓１１０にその長手方向に３つ並べて取り付けることができるサイズの３倍の大きさ（取付窓１１０の開口サイズの２／３を占める大きさ）に形成されている。
【００３１】
器体１０の内部には、例えば、つまみの回動操作によってつまみの操作位置が連続的に変化し操作位置に応じて抵抗値が変化する可変抵抗器を有し、当該可変抵抗器の抵抗値に応じて光源の調光制御を行う調光制御回路部（図示せず）が収納される。なお、この種の調光制御回路部としては従来周知のものを採用できるから詳細な説明は省略する。
【００３２】
調光制御回路部の可変抵抗器のつまみには、可変抵抗器のつまみの回動操作を行いやすくするための操作つまみからなる操作部１２が被着されている。
【００３３】
操作部１２は、可変抵抗器のつまみに被着される円形状の台部１２ａと、台部１２ａの前面に突設された矩形状のつまみ部１２ｂとを備え、つまみ部１２ｂの前面には、操作部１２の回動位置（操作位置）を表示するための表示部１２ｃが形成されている。表示部１２ｃは、長手方向がつまみ部１２ｂの前面における長手方向に沿った溝状に形成されている。また、表示部１２ｃの長手方向の延長線上には、操作部１２の回動中心が位置するようにしている。したがって、表示部１２ｃを見ることによって、操作部１２の回動位置を把握することができるようになっている。
【００３４】
器体１０の前面側となるカバー１１には、操作部１２を器体１０の前方の突出させるための円形状の孔部１１ａがその厚み方向（前後方向）に貫設されている。また、カバー１１の前面における孔部１１ａの周部に、孔部１１ａと同心円となる円環状の溝部からなり取付部４０が収納される収納凹所１１ｂが形成されている。ここで、取付部４０は、永久磁石などの磁石を用いて円環状に形成されたものであって、器体１０の収納凹所１１ｂに収納された状態で器体１０に取り付けられる。
【００３５】
さらに、カバー１１の短手方向の両側面それぞれには、化粧カバー２０を取り付けるための組立爪１１ｃが一体に突設されている。
【００３６】
加えて、カバー１１の前面における長手方向の一端側（図１における下端側）には、図３に示すように、表示片３０をカバー１１の短手方向に２つ並べて配置可能な大きさの保持用スペース１１ｄが設けられるとともに、カバー１１において前後方向で保持用スペース１１ｄと重なる部位には、永久磁石からなる吸着片１１ｅが埋設されている。なお、吸着片１１ｅは、必ずしもカバー１１に埋設する必要はなく、カバー１１の後面側において保持用スペース１１ｄと前後方向で重なる位置に設けてもよい。なお、図３では、取付枠１００の空きスペースにスイッチ３００を設けた例を示しており、このスイッチ３００は、調光器１により調光制御を行う照明器具への電力供給をオンオフするために用いられるのが一般的である。
【００３７】
化粧カバー２０は、絶縁性を有する樹脂により形成された樹脂成形品であって、器体１０の前面側の全面を覆うことができる大きさの矩形板状に形成されている。化粧カバー２０の中央には、操作部１２を前方に臨ませる開口部２０ａがその厚み方向（前後方向）に貫設されている。また、開口部２０ａの周部には、開口部２０ａと同心円となる円環状の溝状に形成された配置部５０が形成されており、この配置部５０内には、表示片３０が配置される。また、配置部５０は、化粧カバー２０を器体１０に取り付けた状態で、前後方向において収納凹所１１ｂに収納された取付部４０と重なるように形成されている。
【００３８】
配置部５０の底面には、光源の明るさを最も暗くした状態における操作部１２の操作位置と、光源の明るさを最も明るくした状態における操作部１２の操作位置とをそれぞれ示す円形状の凹部５０ａ，５０ｂと、凹部５０ａ，５０ｂ間における操作部１２の回動可能範囲を示す円弧状の溝部５０ｃとが形成されている。
【００３９】
ここで、表示片３０は、磁石からなる取付部４０に吸着される磁性材料、例えば、強磁性材料である鉄により、図２に示すように、長手方向一端側から他端側に行くにつれて幅広となるような平板状に形成されている。表示片３０の前面には、長手方向一端側の方向を指し示す矢印などの記号からなる目印部３１が設けられている。また、表示片３０の厚みは、表示片３０を配置部５０に配置した状態で、表示片３０の前面が化粧カバー２０の前面より前方に突出しない程度の厚みに形成されている。
【００４０】
また、表示片３０の長手方向一端側の端面（以下、「第１端面」と称する）３０ａは、表示片３０を配置部５０に配置した状態において配置部５０における開口部２０ａ側の内側面（以下、「第１内側面」と称する）５０ｄに当接するような曲面形状に形成され、他端側の端面（以下、「第２端面」と称する）３０ｂは表示片３０を配置部５０に配置した状態において配置部５０における開口部２０ａとは反対側の内側面（以下、「第２内側面」と称する）５０ｅに当接するような曲面形状に形成されている。したがって、表示片３０を配置部５０に配置した際には、第１端面３０ａが第１内側面５０ｄに、第２端面３０ｂが第２内側面５０ｅにそれぞれ当接することになる。つまり、本実施形態における配置部５０では、その幅方向の両内側面５０ｄ，５０ｅによって、表示片３０を操作部１２の回動中心を中心とする円弧に沿って移動させるガイド部を構成している。
【００４１】
ところで、表示片３０を配置部５０に配置した状態において、前記ガイド部に沿った移動方向側の両側面となる表示片３０の幅方向の両側面３０ｃ，３０ｃそれぞれは、前記移動方向を法線方向とする平面形状に形成されている。したがって、図４（ａ）に示すように、複数（図示例では２つ）の表示片３０を、その側面３０ｃ同士を密接させた状態で配置部５０に取り付けることができるようになっている。そのため、図４（ｂ）に示すように、表示片３０が矩形板状であり、その側面３０ｃ同士を密接させた状態で配置部５０に取り付けることができないような場合とは異なり、一の表示片３０をガイド部に沿って移動させることで、複数の表示片３０をまとめてガイド部に沿った方向（図４（ａ）において矢印で示す方向）に移動させることができるようになる。また、図５に示すように、複数（図示例では２つ）の表示片３０をまとめて配置部５０に取り付けた状態での調光器１の出荷が行える。なお、図５に示す例では、２つの表示片３０を、配置部５０の凹部５０ａ，５０ｂ間における操作部１２の回動可能範囲外の場所に取り付けている。
【００４２】
ところで、化粧カバー２０の短手方向の両側面それぞれには、後方に突出する矩形板状の組立片２０ｂ，２０ｂが一体に突設され、各組立片２０ｂには、器体１０の組立爪１１ｃと凹凸嵌合する組立孔２０ｃが形成されている。
【００４３】
化粧カバー２０は、上述したように調光制御回路部および操作部１２が設けられた器体１０の前面側の収納凹所１１ｂに取付部４０を収納した後に、開口部２０ａより操作部１２を前方に臨ませた状態で、各組立片２０ｂの組立孔２０ｃに器体１０の組立爪１１ｃを凹凸嵌合させることによって、器体１０の前面側に取り付けられる。また、化粧カバー２０を器体１０に取り付けた状態で、少なくとも器体１０の保持用スペース１１ｄと化粧カバー２０の後面との間に、表示片３０の厚み以上の隙間が形成されるようにしている。
【００４４】
そして、この状態では、配置部５０の後面側に永久磁石からなる取付部４０が位置しているので、表示片３０を配置部５０に配置することによって表示片３０が取付部４０に吸着されるから、表示片３０を配置部５０に着脱自在に取り付けることができるようになっている。したがって、表示片３０を配置部５０の所望の位置に取り付けることができ、表示片３０の目印部３１に、操作部１２の表示部１２ｃを合わせることにより、操作部１２を所望の操作位置に位置させることができる。
【００４５】
つまり、本実施形態の調光器１では、操作部１２の操作位置の目印として用いられる表示片３０と、表示片３０が配置される配置部５０と、配置部５０に表示片を着脱自在に取り付ける取付部４０とで、操作部１２を所望の操作位置に位置させる際の目印となる表示手段が構成されている。
【００４６】
以上述べた本実施形態の調光器１によれば、表示片３０を配置部５０に取り付けることによって操作部１２の操作位置の目印を付けることができるから、操作部１２を所望の操作位置に位置させるための目印を容易に付けることができる。しかも、表示片３０は取付部４０によって配置部５０に着脱自在に取り付けることができるので、表示片３０の配置部５０への取付位置の変更を容易に行えるから、マーキングペンやシールなどにより目印を付ける場合とは異なり、目印の位置の変更が容易に行える。
【００４７】
また、取付部４０の磁力により表示片３０が配置部５０に着脱自在に取り付けられるから、表示片３０の配置部５０への着脱が容易に行えるようになる。また、表示片３０を配置部５０にスライド移動自在となるように取り付けた場合に比べて、表示片３０の取付順を気にする必要がなくなり、しかも表示片３０の数を容易に増減することができる。
【００４８】
さらに、取付部４０が磁石により形成されてなり、表示片３０が取付部４０に吸着される鉄などの磁性材料により形成されてなるから、表示片３０が他の表示片３０に吸着されてしまうことを防止できる。なお、本実施形態における調光器１では、取付部４０を磁石により形成し、表示片３０を取付部４０に吸着される鉄などの磁性材料により形成しているが、表示片３０と取付部４０のいずれか一方を磁石により形成し、他方を前記一方に吸着される磁性材料により形成するようにしてもよい。なお、表示片３０または取付部４０に用いる磁性材料としては、鉄などの強磁性体に限らず、常磁性体や、磁石であってもよい。
【００４９】
加えて、カバー１１に設けた吸着片１１ｅによって、カバー１１前面の保持用スペース１１ｄに、表示片３０を取り付けることができるようになっているので、この保持用スペース１１ｄと化粧カバー２０の後面との間の空間部（図示せず）が、表示片３０を収納する収納部として用いられる。したがって、使用しない表示片３０を保持用スペース１１ｄに取り付けて前記収納部に収納することで表示片３０の紛失を防止することが可能となり、また表示片３０を追加したい際には前記収納部から表示片３０を取り出せばよいから、即時対応が可能となり、使い勝手を向上できる。
【００５０】
なお、本実施形態では、回動操作により操作位置が変更される操作部１２を用いているが、このような操作部１２としては、フェーダのようなスライド操作（スライド移動）によって操作位置が変更されるものであってもよい。
【００５１】
（実施形態２）
本実施形態の調光器１は、化粧カバー２０の構成が実施形態１と異なっており、その他の構成は実施形態１と同様であるから説明を省略する。
【００５２】
本実施形態における化粧カバー２０において取付部４０と対応する部位（すなわち、配置部５０と前後方向で重なる部位）には、図６（ａ），（ｂ）に示すような、磁性部材６０が取り付けられている。磁性部材６０は、取付部４０に吸着される鉄などの磁性材料を用いて、取付部４０と同形状の円環状に形成されている。
【００５３】
以上述べた本実施形態の調光器１によれば、表示片３０を配置部５０に配置した際には、表示片３０は、取付部４０によって磁化された磁性部材６０に吸着されるから、実施形態１と同様の効果が得られる。加えて、図７に示すように、化粧カバー２０を器体１０に取り付けるにあたって、器体１０に設けられた取付部４０の磁力によって、化粧カバー２０に設けられた磁性部材６０が取付部４０に引き付けられるから、化粧カバー２０の器体１０への取り付け作業が容易に行えるようになる。また、化粧カバー２０を器体１０に取り付けた状態では、化粧カバー２０の磁性部材６０が器体１０の取付部４０に吸着されるから、化粧カバー２０と器体１０との取付強度（固定強度）を向上できる。
【００５４】
（実施形態３）
本実施形態の調光器１は、図８（ａ）に示すように、器体１０ではなく、化粧カバー２０の後面に取付部４０を取り付けるようにしたことに特徴があり、その他の構成は実施形態１と同様であるから説明を省略する。
【００５５】
つまり、本実施形態の調光器１によれば、実施形態１と同様の効果に加えて、化粧カバー２０に取付部４０が取り付けられているので、取付部４０を器体１０に設けた場合とは異なり、器体１０から化粧カバー２０を取り外した状態であっても、図８（ｂ）に示すように、表示片３０が配置部５０から脱落してしまうことがなく、化粧カバー２０の配置部５０に表示片３０を取り付けた状態を維持することができるから、化粧カバー２０を器体１０から取り外した際に、表示片３０の配置部５０への取り付けを再び行う必要がなくなる。
【００５６】
（実施形態４）
本実施形態の調光器１は、図９（ａ），（ｂ）に示すように、化粧カバー２０の前面側の全面を覆う形で取り付けられた透明な保護カバー７０を備えている点で実施形態１と異なっている。なお、その他の構成は実施形態１と同様であるから説明を省略する。
【００５７】
本実施形態における保護カバー７０は、透明な樹脂材料からなる樹脂成形品であって、化粧カバー２０と同サイズの大きさの長方形状に形成されている。保護カバー７０の中央には、操作部１２を前方に臨ませる円形状の孔部７０ａが貫設されており、その短手方向両側それぞれには、長手方向に離間した一対の係止爪７０ｂが後方に向けて一体に突設されている。
【００５８】
これに対応して、化粧カバー２０には、各係止爪７０ｂ用の係止孔２０ｄが形成されており、孔部７０ａより操作部１２を前方に臨ませた状態で、化粧カバー２０の各係止孔２０ｄそれぞれに各係止爪７０ｂを係止させることによって、保護カバー７０を化粧カバー２０の前面に取り付けることができるようになっている。
【００５９】
このような保護カバー７０は、表示片３０を配置部５０に取り付けた後に、上述したようにして化粧カバー２０に取り付けられる。
【００６０】
したがって、本実施形態の調光器１によれば、実施形態１と同様の効果に加えて、表示片３０が保護カバー７０により保護されているので、不意に表示片３０に触れてしまうことなどがなくなるから、表示片３０の予期せぬ位置ずれを防止でき、その上、保護カバー７０が透明であるから、保護カバー７０を取り付けた状態でも表示片３０の位置を確認することができる。また、保護カバー７０の厚みの分だけ調光器１の前面と保持具４０との間の距離を長くできるから、取付部４０の磁力によりピンなどが調光器１の前面に付着してしまうことを防止できる。
【００６１】
ところで、図９（ａ），（ｂ）に示す保護カバー７０は、化粧カバー２０の前面の全面を覆う形に形成されているが、図１０（ａ），（ｂ）に示すように、保護カバー７０は、表示片３０が取り付けられた配置部５０のみを覆う形に形成されていてもよい。ここで、図１０（ａ），（ｂ）に示す保護カバー７０は、配置部５０の外径と同じ外径を有する円盤状に形成され、中央には上述の孔部７０ａが貫設されており、孔部７０ａを挟んで対向する部位には、係止爪７０ｂが後方に向けて突設されている。これに対応して、図１０（ａ），（ｂ）に示す化粧カバー２０には、係止爪７０ｂに対応する係止孔２０ｄが設けられており、孔部７０ａより操作部１２を前方に臨ませた状態で、化粧カバー２０の各係止孔２０ｄそれぞれに各係止爪７０ｂを係止させることによって、保護カバー７０を化粧カバー２０の前面に取り付けることができるようになっている。
【００６２】
以上述べた図１０（ａ），（ｂ）に示すような保護カバー７０を備える調光器１においても、図９（ａ），（ｂ）に示すような保護カバー７０を備えるものと同様の効果が得られる。
【００６３】
ところで、保護カバー７０の形状は、上述したような図９（ａ），（ｂ）および図１０（ａ），（ｂ）に示す形状に限られるものではなく、少なくとも表示片３０が取り付けられた配置部５０を覆う形に形成されるとともに操作部１２を前方に露出する孔部７０ａを有するものであればよい。
【００６４】
なお、本実施形態における保護カバー７０を上述した実施形態２，３または後述する実施形態５の調光器１に設けるようにしてもよい。
【００６５】
（実施形態５）
実施形態１〜４の調光器１では、表示片３０を磁力によって配置部５０に着脱自在に取り付ける構成としていたが、本実施形態の調光器１は、表示片３０を機械的な力によって配置部５０に取り付ける構成としており、そのために表示片３０を移動自在に配置部５０に取り付けるための取付部５１が化粧カバー２０に設けられている。なお、同様の構成については説明を省略する。
【００６６】
本実施形態における取付部５１は、図１１に示すように、化粧カバー２０の配置部５０の底面に設けられており、配置部５０の溝部５０ｃに沿う形で操作部１２の回動中心（化粧カバー２０の開口部２０ａの中心）を中心とする円弧状に形成された表示片移動用孔部５１ａを有している。
【００６７】
ここで、本実施形態における表示片３０は、例えば、絶縁性を有する樹脂材料からなる樹脂成形品である点と、図１２に示すように、その後面に係合片３２が一体に突設されている点で実施１と異なっている。係合片３２は前方から後方にいくにつれて幅寸法が大きくなる断面台形状に形成されている。また、係合片３２は、表示片移動用孔部５１ａ内を移動できるような円弧状に形成されている。
【００６８】
ところで、表示片移動用孔部５１ａの幅方向の両内側面は、表示片３０の係合片３２を表示片移動用孔部５１ａ内に挿入した際に、係合片３２の幅方向の両側面それぞれと当接するような面形状に形成されているので、表示片３０の係合片３２を表示片移動用孔部５１ａに挿入した状態では、表示片３０が配置部５０より脱落しないようになっている。
【００６９】
このような表示片移動用孔部５１ａの長さ方向の一端部（図示例では、凹部５０ａの近傍に位置する端部）には、表示片移動用孔部５１ａと連通する表示片挿入用孔部５１ｂが形成されており、表示片挿入用孔部５１ｂは、係合片３２を前面側から挿入可能な大きさに形成されている。したがって、表示片３０は、係合片３２を表示片挿入用孔部５１ｂに挿入した後に、表示片移動用孔部５１ａ側に移動させることによって、取付部５１に取り付けられる。
【００７０】
そして、本実施形態の調光器１では、表示片移動用孔部５１ａに沿って表示片３０をスライド移動させることによって、表示片３０を所望の位置に位置させることができるようになっている。
【００７１】
以上述べた本実施形態の調光器１によれば、表示片３０を配置部５０に取り付けることによって操作部１２の操作位置の目印を付けることができるから、操作部１２を所望の操作位置に位置させるための目印を容易に付けることができる。しかも、表示片３０は取付部５１によって配置部５０に着脱自在に取り付けることができるので、表示片３０の配置部５０への取付位置の変更を容易に行えるから、マーキングペンやシールなどにより目印を付ける場合とは異なり、目印の位置の変更が容易に行える。
【００７２】
なお、本実施形態における係合片３２の形状や、取付部５１の形状は、一例であって、本発明の趣旨を逸脱しない程度に形状を変更してもよい。
【図面の簡単な説明】
【００７３】
【図１】実施形態１の調光器の分解斜視図である。
【図２】同上の調光器の前面図である。
【図３】同上の調光器において化粧プレートを取り外した状態の斜視図である。
【図４】同上の調光器の説明図である。
【図５】同上の調光器の説明図である。
【図６】実施形態２の調光器における化粧カバーの説明図である。
【図７】同上の調光器の説明図である。
【図８】（ａ）は実施形態３の調光器における化粧カバーの説明図、（ｂ）は同上の調光器の説明図である。
【図９】実施形態４の調光器を示し、（ａ）は保護カバーを取り外した状態の斜視図、（ｂ）は保護カバーを取り付けた状態の斜視図である。
【図１０】同上の他例の調光器を示し、（ａ）は保護カバーを取り外した状態の斜視図、（ｂ）は保護カバーを取り付けた状態の斜視図である。
【図１１】実施形態５の調光器の説明図である。
【図１２】同上の調光器における化粧カバーの説明図である。
【符号の説明】
【００７４】
１    調光器
１０    器体
１１ｄ  収納凹所
１２    操作部
２０    化粧カバー
３０    表示片
４０    取付部
５０    配置部
【図１】
2008159480.tif 000003
【図２】
2008159480.tif 000004
【図３】
2008159480.tif 000005
【図４】
2008159480.tif 000006
【図５】
2008159480.tif 000007
【図６】
2008159480.tif 000008
【図７】
2008159480.tif 000009
【図８】
2008159480.tif 000010
【図９】
2008159480.tif 000011
【図１０】
2008159480.tif 000012
【図１１】
2008159480.tif 000013
【図１２】
2008159480.tif 000014